(57)【要約】【課題】本発明は、取り扱いの簡便なプロンプター装置を提供する【解決手段】本発明のプロンプター装置１０は、走行部３２を有する自走式のプロンプター装置であり、ハーフミラー１２と液晶パネル１４とが収納された箱体１６にカメラ支持部材であるブラケット１８を設けている。このブラケット１８にテレビカメラ２４を設置することにより高価な三脚が不要になる。また、プロンプター装置１０とテレビカメラ２４とを一体的に取り扱うことができるので、運搬が容易になる。よって、取り扱いが簡便なプロンプター装置１０を提供できる。【選択図】  図２
2006352247.tif 000002
【特許請求の範囲】
【請求項１】
ハーフミラーと該ハーフミラーに映像を投影する表示部とが箱体に収納され、該箱体が、走行部に支柱を介して設けられたプロンプター装置において、
前記箱体にカメラ支持部材が設けられたことを特徴とするプロンプター装置。
【請求項２】
前記カメラ支持部材は、前記箱体の背面に設けられていることを特徴とする請求項１に記載のプロンプター装置。
【請求項３】
前記カメラ支持部材は、前記箱体の背面に着脱自在に設けられていることを特徴とする請求項２に記載のプロンプター装置。
【請求項４】
前記カメラ支持部材に、雲台を介してカメラがパン方向及びチルト方向に移動自在に支持されていることを特徴とする請求項１、２又は３のうちいずれか一つに記載のプロンプター装置。
【発明の詳細な説明】
【技術分野】
【０００１】
本発明はプロンプター装置に係り、特に走行部を備えた自走式のプロンプター装置に関する。
【背景技術】
【０００２】
特許文献１には、ハーフミラーとこのハーフミラーに映像を投影する液晶パネルとが箱体に収納されてなるプロンプターが開示されるとともに、このプロンプターが三脚の支持台に設置され、且つ、プロンプターの前記箱体から延設された基台にテレビカメラが設置されたプロンプター装置が開示されている。
【０００３】
このプロンプター装置によれば、液晶パネルに表示された原稿等の映像は、液晶パネルの上方に位置するハーフミラーに投影され、これによってハーフミラーの前方に位置する講演者はハーフミラーの後方に配置されたテレビカメラによって撮影されながらハーフミラーに投影された原稿映像を読むことにより講演することができる。なお、特許文献１のプロンプター装置は、三脚の支持台にプロンプターとテレビカメラとが設置された固定式のものであって、走行部を備えた自走式のものではない。
【０００４】
一方、図４には自走式のプロンプター１が示されている。このプロンプター１はハーフミラー２と液晶パネル３とが収納された箱体４を、走行部５に立設された支柱６の上部に固定することにより構成されている。箱体４の背面には、テレビカメラ７のレンズ装置８を挿入する開口部が形成されている。このように構成されたプロンプター１は、まず、プロンプター１を講演者の対面位置に移動し、次に、プロンプター１の後方に、三脚９に雲台９Ａを介して支持されたテレビカメラ７を配置するとともに、テレビカメラ７のレンズ装置８を箱体４の開口部から箱体４に挿入することにより使用される。
【特許文献１】特開２００２−２７２８８号公報
【発明の開示】
【発明が解決しようとする課題】
【０００５】
しかしながら、図４に示した自走式のプロンプター１は、カメラを支持するための高価な三脚を必要とし、また、プロンプターと三脚とを別々に運搬、セッティング等の煩雑な作業を行わなければならず、取り扱いに非常に手間がかかるという欠点があった。
【０００６】
本発明は、このような事情に鑑みてなされたもので、取り扱いの簡便なプロンプター装置を提供することを目的とする。
【課題を解決するための手段】
【０００７】
請求項１に記載の発明は、前記目的を達成するために、ハーフミラーと該ハーフミラーに映像を投影する表示部とが箱体に収納され、該箱体が、走行部に支柱を介して設けられたプロンプター装置において、前記箱体にカメラ支持部材が設けられたことを特徴としている。
【０００８】
請求項１によれば、走行部を有する自走式のプロンプター装置において、ハーフミラーと表示部が収納された箱体にカメラ支持部材を設けている。このカメラ支持部材にカメラを設置することにより高価な三脚が不要になり、また、プロンプター装置とカメラとを一体的に取り扱うことができるので、運搬が容易になる。よって、取り扱いが簡便なプロンプター装置を提供できる。
【０００９】
請求項２に記載の発明は、請求項１において、前記カメラ支持部材は、前記箱体の背面に設けられていることを特徴とし、請求項３は、請求項２において、前記カメラ支持部材は、前記箱体の背面に着脱自在に設けられていることを特徴としている。
【００１０】
請求項２、３によれば、カメラ支持部材を箱体の背面から取り外すことにより、図４に示した従来のプロンプター装置としても利用することができる。
【００１１】
請求項３に記載の発明は、請求項１、２又は３において、前記カメラ支持部材に、雲台を介してカメラがパン方向及びチルト方向に移動自在に支持されていことを特徴としている。
【００１２】
請求項４によれば、雲台に一般的に設けられているパン軸及びチルト軸を回転させることによりカメラの位置を変更できるので、被写体に対するカメラの位置を調整することができる。
【発明の効果】
【００１３】
以上説明したように本発明に係るプロンプター装置によれば、走行部を有する自走式のプロンプター装置において、ハーフミラーと表示部が収納された箱体にカメラ支持部材を設けたので、高価な三脚が不要になり、また、プロンプター装置とカメラとを一体的に取り扱うことができるので、運搬が容易になる。よって、取り扱いが簡便なプロンプター装置を提供できる。
【発明を実施するための最良の形態】
【００１４】
以下添付図面に従って、本発明に係るプロンプター装置の好ましい実施の形態について詳説する。
【００１５】
図１は、実施の形態に係るプロンプター装置１０の正面図、図２は図１に示したプロンプター装置１０の右側面図である。これらの図に示すプロンプター装置１０は、ハーフミラー１２とハーフミラー１２に映像を投影する液晶パネル（表示部）１４とが収納された箱体１６を有している。この箱体１６の背面部にはカメラ支持部材であるブラケット１８がねじ２０、２０…によって着脱自在に設けられ、このブラケット１８の上面平坦部に雲台２２を介してテレビカメラ（カメラ）２４が設置されている、テレビカメラ２４の撮影レンズ２６は、箱体１６の背面に形成されたレンズ挿入用開口部２８から箱体１６内に挿入され、ハーフミラー１２に対向配置されることにより、ハーフミラー１２を透過した被写体像がテレビカメラ２４によって撮影される。
【００１６】
また、プロンプター装置１０は、複数のキャスタ３０、３０…を備えた走行部３２を有し、この走行部３２の台板３４上に支柱３６が立設されるとともに支柱３６上に箱体１６が固定されることにより構成されている。このプロンプター装置１０によれば、走行部３２を備えることにより自走型として構成され、支柱３６上に箱体１６が固定されることにより自立型として構成されている。したがって、プロンプター装置１０の運搬が非常に容易になり、好みの位置にプロンプター装置１０を容易に配置することが可能となる。
【００１７】
また、支柱３６は、台板３４に固定された基柱３８に対してテレスコ式に上下移動する昇降柱４０から構成され、昇降柱４０の高さ位置がエア圧によって調整可能となっている。更にまた、走行部３２は、前後に位置するそれぞれ一対のキャスタ３０、３０…の間隔を変更することができるように、後輪側のキャスタ３０、３０がロッド４２、４２を介して台板３４に伸縮自在に収納されている。また、ロッド４２を台板３４に固定するねじ４４が台板３４に設けられている。図２、図３の如くテレビカメラ２４、４６をブラケット１８に設置すると、プロンプター装置１０全体の重心が後方に移動するため、プロンプター装置１０の自立が不安定になり転倒の危険性が生じるが、ロッド４２を後方に伸長することによりプロンプター装置１０の自立を安定化できるので、プロンプター装置１０の転倒を防止できる。
【００１８】
プロンプター装置１０の液晶パネル１４は、箱体１６の底面部に表示面を上方に向けて配置されるとともに、液晶パネル１４の上方にハーフミラー１２が約４５度の角度に傾斜して配置されている。このような配置に基づき箱体１６は、ハーフミラー１２の前方に位置する壁面が切除された略立方体形状に形成されている。
【００１９】
雲台２２は図２の如く、ブラケット１８に固定された台座４８にパン軸５０が固定され、パン軸５０に直交するチルト軸（不図示）がテレビカメラ２４に固定されている。したがって、雲台２２に内蔵されたパン用モータ（不図示）が回転駆動され、パン軸５０を中心に雲台２２がパン方向に回転されると、テレビカメラ２４の水平方向位置が調整される。また、雲台２２に内蔵されたチルト用モータ（不図示）が回転駆動され、前記チルト軸が回転されると、テレビカメラ２４の傾斜角度が調整される。このようにテレビカメラ２４を雲台２２によって移動することにより、被写体に対するテレビカメラ２４の位置を微調整することができる。
【００２０】
雲台２２は、コネクタ５２に接続されるケーブル（不図示）を介してコントローラ（不図示）に接続され、コントローラからの駆動信号に基づいて前記パン用モータ及びチルト用モータが駆動制御される。よって、雲台２２はコントローラによって遠隔制御され、これによってテレビカメラ２４の位置が微調整される。なお、図１において符号５４は、箱体１６の両側面に設けられた把手である。また、符号５６は、ケーブルフックであり、雲台２２を遠隔制御するための前記ケーブルがケーブルフック５６に掛けられる。
【００２１】
次に、このように構成されたプロンプター装置１０の作用について説明する。
【００２２】
まず、実施の形態のプロンプター装置１０は、走行部３２を有する自走式のプロンプター装置であり、ハーフミラー１２と液晶パネル１４とが収納された箱体１６にカメラ支持部材であるブラケット１８が設けられている。このブラケット１８にテレビカメラ２４を設置することにより高価な三脚が不要になる。また、プロンプター装置１０とテレビカメラ２４とを一体的に取り扱うことができるので、運搬が容易になる。よって、取り扱いが簡便なプロンプター装置１０を提供できる。
【００２３】
また、プロンプター装置１０のブラケット１８は、箱体１６に着脱自在に設けられているので、ブラケット１８を箱体１６から取り外すことにより、図４に示した従来のプロンプター装置としても利用することができる。
【００２４】
更に、プロンプター装置１０では、雲台２２を介してブラケット１８にテレビカメラ２４を設置したので、雲台２２のパン軸５０及びチルト軸を駆動することによりテレビカメラ２４の位置を変更できる。したがって、被写体に対するテレビカメラ２４の位置を微調整することができる。
【００２５】
なお、図３に示したテレビカメラ４６は、ＥＮＧレンズ装置５４が取り付けられたハンディ用のテレビカメラであり、ブラケット１８に固定された台座４８に手動式雲台５６を介して設置されている。符号５８は、カメラマンが雲台５６を手動操作するパン棒５８である。
【図面の簡単な説明】
【００２６】
【図１】実施の形態のプロンプター装置の全体正面図
【図２】図１に示したプロンプター装置の右側面図
【図３】箱体のブラケットにハンディ用のテレビカメラが設置された例を示すプロンプター装置の側面図
【図４】従来のプロンプター装置の一例を示した全体側面図
【符号の説明】
【００２７】
１０…プロンプター装置、１２…ハーフミラー、１４…液晶パネル、１６…箱体、１８…ブラケット、２２…雲台、２４、４６…テレビカメラ、３２…走行部、３６…支柱、４２…ロッド、５０…パン軸
【図１】
2006352247.tif 000003
【図２】
2006352247.tif 000004
【図３】
2006352247.tif 000005
【図４】
2006352247.tif 000006